(57)【要約】【課題】複写装置においてユーザーが複写モードの設定を操作部のキー等の操作によらずに簡単に行えるようにする。【解決手段】メモリ４には予め定められた原稿台上の複数の原稿セット位置の情報と複数の複写モードの情報とを一対一に対応づけたテーブル４ａが記憶されている。制御部１０は、操作部３の入力機器１から複写開始を指示する入力があったときに、原稿台にセットされた原稿のセット位置を原稿位置検出部８に検出させる。そして、テーブル４ａの複数の複写モードの情報の内から、検出された原稿セット位置に対応づけて記憶された複写モードの情報を検索し、その複写モードに設定する。これにより、ユーザーが複写のために原稿を原稿台上にセットするときにセット位置を選択するだけで複写モードを複数モードの内から所望に選択して設定することができる。【選択図】図１
2008151882.tif 000002
【特許請求の範囲】
【請求項１】
原稿台と画像読み取り手段と印刷手段を有し、原稿台上にセットされた原稿の画像を画像読み取り手段により読み取って印刷手段により印刷用紙に印刷して複写する複写装置において、
原稿台上にセットされた原稿のセット位置を検出する検出手段と、
該検出手段により検出された原稿セット位置に応じて複写モードを複数の複写モードの内から選択して設定するように制御する制御手段を有することを特徴とする複写装置。
【請求項２】
予め定められた原稿台上の複数の原稿セット位置の情報と複数の複写モードの情報とを一対一に対応づけて記憶した記憶手段を有し、
前記制御手段は、前記記憶手段において前記検出手段により検出された原稿セット位置に対応づけて記憶された複写モードを選択して設定することを特徴とする請求項１に記載の複写装置。
【請求項３】
ユーザーが操作して複写モードの設定情報を入力するための入力手段を有し、
前記制御手段は、予め定められた条件に応じて、前記検出手段により検出された原稿セット位置に応じて複写モードを設定するように制御するか、或いは前記入力手段により入力された設定情報にしたがって複写モードを設定するように制御することを特徴とする請求項１または２に記載の複写装置。
【請求項４】
前記制御手段は、前記条件として、前記検出手段により検出された原稿セット位置が予め定められた複数の原稿セット位置の何れかであれば、検出された原稿セット位置に応じて複写モードを設定するように制御し、検出された原稿セット位置が前記複数の原稿セット位置以外の位置であれば、前記入力手段により入力された設定情報にしたがって複写モードを設定するように制御することを特徴とする請求項３に記載の複写装置。
【請求項５】
原稿台と画像読み取り手段と印刷手段を有し、原稿台上にセットされた原稿の画像を画像読み取り手段により読み取って印刷手段により印刷用紙に印刷して複写する複写装置の制御方法であって、
原稿台上にセットされた原稿のセット位置を検出する検出工程と、
該検出工程で検出された原稿セット位置に応じて複写モードを複数の複写モードの内から選択して設定するように制御する制御工程を実行することを特徴とする複写装置の制御方法。
【請求項６】
予め定められた原稿台上の複数の原稿セット位置の情報と複数の複写モードの情報とを一対一に対応づけて記憶した記憶手段を用い、
前記制御工程では、前記記憶手段において前記検出工程で検出された原稿セット位置に対応づけて記憶された複写モードを選択して設定することを特徴とする請求項５に記載の複写装置の制御方法。
【請求項７】
ユーザーが操作して複写モードの設定情報を入力するための入力手段を用い、
前記制御工程では、予め定められた条件に応じて、前記検出工程で検出された原稿セット位置に応じて複写モードを設定するように制御するか、或いは前記入力手段により入力された設定情報にしたがって複写モードを設定するように制御することを特徴とする請求項５または６に記載の複写装置の制御方法。
【請求項８】
前記制御工程では、前記条件として、前記検出工程で検出された原稿セット位置が予め定められた複数の原稿セット位置の何れかであれば、検出された原稿セット位置に応じて複写モードを設定するように制御し、検出された原稿セット位置が前記複数の原稿セット位置以外の位置であれば、前記入力手段により入力された設定情報にしたがって複写モードを設定するように制御することを特徴とする請求項７に記載の複写装置の制御方法。
【請求項９】
原稿台と画像読み取り手段と印刷手段を有し、原稿台上にセットされた原稿の画像を画像読み取り手段により読み取って印刷手段により印刷用紙に印刷して複写する複写装置において、複写装置の制御を行う制御手段が実行する制御プログラムであって、
前記制御手段が請求項５から８までのいずれか１項に記載の複写装置の制御方法により複写モードを設定するように制御するための制御手順を含むことを特徴とする複写装置の制御プログラム。
【発明の詳細な説明】
【技術分野】
【０００１】
本発明は、原稿台と画像読み取り手段と印刷手段を有し、原稿台上にセットされた原稿の画像を画像読み取り手段により読み取って印刷手段により印刷用紙に印刷して複写する複写装置、その制御方法、及びその制御プログラムに関するものである。
【背景技術】
【０００２】
一般に、複写装置においては、複写に使用する印刷用紙のサイズ及び種類、印刷品位、変倍率、複写部数（印刷部数）、カラー／モノクロなどの各種複写モード（複写条件ないし複写パラメータ）をその都度選択して設定して複写を実行させる必要がある。これらの複写モードの設定は、ユーザーが表示器と複数のキー（押しボタンスイッチ）を備えた操作パネル（操作部）上で表示器の複写モード設定画面の表示を見ながらキー操作して行うのが一般的である。なお表示器と複数のキーの替わりとして、表示機能と入力機能を兼ね備えたタッチパネルで設定するものもある。これら従来の表示機能と入力機能を備えた操作パネルでは、物理的に操作パネル上に配置できるキー数の制限がある。このため、表示器の複写モード設定画面の表示において各設定項目について階層を持たせたユーザーインタフェースを提供して、各種複写に必要な複写モードの情報を一つ一つユーザーに設定させている。しかし、このような設定画面の表示において階層を持たせた従来の方式だと、操作が非常に煩雑になりがちであった。
【０００３】
この問題を解消するために、下記の特許文献１に記載された構成では、操作パネルの表示器に、設定可能な原稿サイズと用紙サイズとの組み合わせを使用履歴に基づく優先順位で複数表示する。そして、ユーザーがスクロールキーの操作で所望の原稿サイズと用紙サイズの組み合わせを選択して設定できるようにしている。この構成によれば、設定可能な原稿サイズ及び用紙サイズが多数ある場合でも複写倍率及び用紙サイズを単一の操作で容易に設定できるとされている。
【特許文献１】特開２００１−１０９３３１号公報
【発明の開示】
【発明が解決しようとする課題】
【０００４】
しかしながら、特許文献１に記載された構成では、廉価版の複写装置で操作パネルに液晶表示器などの画面表示機能のある表示器が設けられない場合は過去の使用履歴に基づく原稿サイズと用紙サイズの組み合わせが表現できない。また、廉価版になると、キーの数を増やすこともできないので、少ないキーで設定をさせるために各設定項目について階層が深くなり、ますます操作が煩雑になってしまうことになる。
【０００５】
そこで本発明の課題は、複写装置においてユーザーが複写モードの設定を操作部のキーなどの操作によらずに簡単に行なえるようにすることにある。
【課題を解決するための手段】
【０００６】
上記の課題を解決するため、本発明は、
原稿台と画像読み取り手段と印刷手段を有し、原稿台上にセットされた原稿の画像を画像読み取り手段により読み取って印刷手段により印刷用紙に印刷して複写する複写装置において、
原稿台上にセットされた原稿のセット位置を検出する検出手段と、
該検出手段により検出された原稿セット位置に応じて複写モードを複数の複写モードの内から選択して設定するように制御する制御手段を有することを特徴とする。
【０００７】
また、本発明では、上記本発明の複写装置の構成に対応する複写装置の制御方法、及びその制御プログラムの構成を採用した。
【発明の効果】
【０００８】
本発明によれば、ユーザーが複写するために原稿を原稿台上にセットするときにセット位置を選択するだけで複写モードを複数の複写モードの内から所望に選択して設定することができる。したがって、従来のようにユーザーが表示器の複写モード設定画面を見ながらキー操作するなどして設定するのに比べて、複写モードの設定を非常に簡単に行うことができ、複写装置の操作性を向上できるという優れた効果が得られる。
【発明を実施するための最良の形態】
【０００９】
以下、図を参照して本発明を実施するための最良の形態の例を説明する。
【実施例１】
【００１０】
図１は本発明の実施例１における複写装置の構成を示すブロック図である。この構成は後述する実施例２においても共通とする。
【００１１】
図１において、１０は複写装置の各部を制御してコピー（複写）動作を行わせる制御部であり、ＣＰＵなどから構成される。制御部１０は、その制御の一環として、後述するように検出された原稿台上での原稿セット位置に応じてコピーモード（複写モード）を複数のコピーモードの内から選択して設定するように制御する制御手段である。なお、以下の説明におけるコピーモードとは、原稿の画像を読み取る画像読み取り部の読み取りモードと、読み取られた原稿の画像を印刷する印刷部の印刷モードであるものとする。具体的には、コピーに使用する印刷用紙のサイズ及び種類、印刷品位、変倍率、印刷部数、及びカラー／モノクロなどのモードとする。制御部１０には以下の構成が接続され、制御部１０に制御される。
【００１２】
３は操作部（操作パネル）であり、ユーザーが操作して複写装置の動作を指示したり、各種のコピーモードの設定情報を入力するための押しボタンスイッチやダイヤル、ないしはタッチパネルなどからなる入力手段としての入力機器１が設けられている。
【００１３】
また、操作部３には、文字やイラストなどを表示する液晶ディスプレイやＬＥＤなどからなる表示器２が設けられている。この表示器２は、ユーザーに現在のコピーモードの設定情報や、複写装置の不具合などの状態、及び印刷で使用する消耗品の残量などを表示してユーザーに通知する。例えば、複写装置がトナーを使用する電子写真方式の場合はトナーの残量を表示する。また、インクを使用するインクジェット方式の場合はインク残量を表示する。
【００１４】
７は印刷装置の原稿台上にセットされた原稿の画像を読み取る画像読み取り手段としての画像読み取り部である。これは、例えば不図示のランプとＣＣＤを組み合わせてなる読み取りセンサーを図２に示した透明なガラス板からなる原稿台２１の下面に沿って一定速度で往復移動させて、原稿台２１上にセットされた原稿２２の画像を読み取る方式のものとする。この方式では原稿台２１上の原稿２２がスキャンする読み取りセンサーのランプで照明され、その反射光が読み取りセンサーのＣＣＤで受光され、その受光量に応じて電圧が変化する画像信号が出力される。
【００１５】
８は複写装置の原稿台上にセットされた原稿のセット位置を検出する検出手段としての原稿位置検出部である。本実施例では、原稿位置検出部８は、図２に示す原稿台２１上の原稿２２のセット位置が（Ａ）、（Ｂ）、（Ｃ）、（Ｄ）の何れであるか、或いは（Ａ）〜（Ｄ）の何れでもないか、つまり（Ａ）〜（Ｄ）以外の位置か検出する。ここでは、原稿２２は、長方形の原稿台２１より小さな長方形のものとする。そして（Ａ）のセット位置は、原稿２２の左上の角を原稿台２１の左上の角に合わせた位置である。（Ｂ）のセット位置は、原稿２２の左下の角を原稿台２１の左下の角に合わせた位置である。（Ｃ）のセット位置は、原稿２２の右上の角を原稿台２１の右上の角に合わせた位置である。（Ｄ）のセット位置は、原稿２２の右下の角を原稿台２１の右下の角に合わせた位置である。また、（Ａ）〜（Ｄ）以外のセット位置とは、例えば（Ｅ）のように原稿２２の中心が原稿台２１の中心に一致する位置、又はこれから少しずれた位置であって、原稿２２の四方の角が全て原稿台２１の四方の角から離れている位置である。
【００１６】
原稿位置検出部８の検出手段として、画像読み取り部７の読み取りセンサーを利用し、原稿２２の画像を読み取るためのスキャンの前にプレスキャンを行って原稿２２のセット位置を検出するようにしてもよい。また、原稿台２１の下側の複数箇所（少なくとも四方の角部のそれぞれの下側）にセンサを設けて、セットされた原稿２２の位置を即座に検出するようにしてもよい。
【００１７】
９は読み取り処理部であり、制御部１０からの命令に従って原稿位置検出部８と画像読み取り部７を駆動し、原稿セット位置の検出と原稿の画像の読み取りを行わせる。そして、原稿位置検出部８から入力される検出信号を処理して原稿セット位置の検出結果のデータを制御部９に出力する。また、画像読み取り部７から入力される原稿の画像信号を処理し、画像データとして印刷データ形成部６に出力する。
【００１８】
印刷データ形成部６は、読み取り処理部９から入力される原稿の画像データを印刷部５で印刷可能な印刷データに変換して印刷部５に出力する。
【００１９】
印刷部５は印刷データ形成部６から入力される印刷データに従って原稿の画像を印刷用紙に印刷する印刷手段である。これはインクジェット方式や電子写真方式などのプリンタエンジンとして構成される。
【００２０】
また、４はＲＯＭ、ＲＡＭ、及び書き込み可能な不揮発性メモリからなるメモリである。このメモリ４のＲＯＭ部には制御部１０が実行する複写装置の制御プログラムなどの固定データが記憶される。記憶される制御プログラムには、後述する図４、及び図６のフローチャートの制御手順に対応した制御プログラムが含まれる。また後述する実施例２では図９のフローチャートの制御手順に対応した制御プログラムが含まれる。各フローチャートの制御手順は、制御部１０が本発明に係る複写装置の制御方法によってコピーモードを設定するように制御するための制御手順である。
【００２１】
メモリ４のＲＡＭ部は制御部１０が制御を行なう上で必要な各種の処理データの一時的な記憶に用いられる。
【００２２】
メモリ４中の書き込み可能な不揮発性メモリは原稿位置／コピーモードテーブル４ａの記憶に用いられる記憶手段である。このテーブル４ａは、予め定められた原稿台上の複数の原稿セット位置の情報と複数の複写モードの情報とを一対一に対応づけて記憶したものである。ここでは、テーブル４ａは一例として図３に示した内容のものとする。すなわち、図２で説明した（Ａ）、（Ｂ）、（Ｃ）、（Ｄ）の原稿セット位置、及び（Ａ）〜（Ｄ）以外の原稿セット位置の情報と、５つのコピーモードの情報とを一対一に対応づけて記憶したものである。コピーモードとしては、位置（Ａ）に対して等倍／カラーモード、（Ｂ）に対してＡ４／カラーモード、（Ｃ）に対して等倍／モノクロモード、（Ｄ）に対してＡ４／モノクロモードが対応づけられている。また、（Ａ）〜（Ｄ）以外の原稿セット位置に対しては、入力機器１により入力された操作部３上の設定情報にしたがってコピーモード（図３の場合、変倍率ないし用紙サイズとカラー／モノクロに関わるモード）を設定する旨の情報が対応付けられている。
【００２３】
なお、各原稿セット位置に一対一に対応付けられる各コピーモードの情報は、予めユーザーが操作部３の入力機器１により入力し、それを制御部１０がメモリ４のテーブル４ａの部分に書き込んで設定、登録できるものとする。また、入力機器１からの指示の入力に応じて、制御部１０がテーブル４ａの内容のデータを表示器２に出力して表示できるものとする。
【００２４】
以上のような構成のもとに、制御部１０は、原稿のコピー動作を行おうとするときに、原稿位置検出部８により検出される原稿台２１上の原稿２２のセット位置に応じてコピーモードを選択して設定し、そのモードでコピー動作を行う。ここで、原稿位置／コピーモードテーブル４ａの内容が図３のものである場合の制御部１０によるコピーモードの設定に関わる制御動作を図４のフローチャートにより説明する。
【００２５】
まず制御部１０は、入力機器１に含まれるコピースタートキーの押下によるコピー開始を指示するキー入力を待っている（ステップＳ１）。そして、そのキー入力があったら、原稿台２１上にセットされた原稿２２のセット位置の検出処理を原稿位置検出部８に行わせる（ステップＳ２）。
【００２６】
その検出工程が終了したら、ステップＳ３〜Ｓ７、Ｓ９〜Ｓ１２において、検出された原稿セット位置に応じてコピーモードを設定するように制御する制御工程を実行する。すなわち、まず検出された原稿セット位置が（Ａ）、（Ｂ）、（Ｃ）、（Ｄ）の何れであるか判定する（ステップＳ３、Ｓ４、Ｓ５、Ｓ６）。そして（Ａ）であったら、原稿位置／コピーモードテーブル４ａから（Ａ）に対応付けられたコピーモードとして等倍／カラーモードの情報を検索し、コピーモードを等倍／カラーモードに設定する（ステップＳ９）。また、同様にして、（Ｂ）であったらＡ４／カラーモードに設定する（ステップＳ１０）。（Ｃ）であったら等倍／モノクロモードに設定する（ステップＳ１１）。（Ｄ）であったらＡ４／モノクロモードに設定する（ステップＳ１２）。
【００２７】
また（Ａ）〜（Ｄ）の何れでもなかった場合（例えば（Ｅ）又はこれから少しだけずれた位置であった場合）は、テーブル４ａから（Ａ）〜（Ｄ）以外の原稿セット位置に対応付けられた情報を検索する。すなわち入力機器１により入力された操作部３上の設定情報にしたがってコピーモードを設定する旨の情報を検索する。そして、そのときに入力機器１により入力されている操作部３上の設定情報にしたがって変倍率ないし用紙サイズとカラー／モノクロに関わるコピーモードを設定する（ステップＳ７）。
【００２８】
このような制御工程でコピーモードを設定した後、設定されたコピーモードでコピー動作を行い（ステップＳ８）、コピー動作が終了したら処理を終了する。
【００２９】
コピー動作では、原稿台２１上にセットされた原稿２２の画像が画像読み取り部７により読み取られ、これから出力される画像信号が読み取り処理部９により処理されて原稿の画像データとされる。その画像データが印刷データ形成部６により印刷データに変換されて印刷部５に出力される。そして印刷部５が印刷データにしたがって原稿の画像を印刷用紙に印刷する。
【００３０】
ところで原稿位置／コピーモードテーブル４ａのコピーモードの情報は、図３に示したカラー／モノクロと等倍／Ａ４の組み合わせに関わる情報に限らないのは勿論である。例えば解像度による印刷品位に関わる情報とした例を図５に示してある。図５では、標準の解像度でカラー印刷するカラー／標準モードが原稿セット位置（Ａ）に、また、それより低い解像度で高速にカラー印刷するカラー／はやいモードが位置（Ｂ）に対応付けられている。更に、高い解像度できれいにカラー印刷するカラー／きれいモードが位置（Ｃ）に、また、さらに高い最高の解像度でカラー印刷するカラー／すごくきれいモードが位置（Ｄ）に対応付けられている。また（Ａ）〜（Ｄ）以外の原稿セット位置には、入力機器１により入力された操作部３上の印刷品位の設定情報にしたがってコピーモードを設定する旨の情報が対応付けられている。
【００３１】
図６は、原稿位置／コピーモードテーブル４ａの内容が図５のものである場合の制御部１０のコピーモード設定に関わる制御手順を示している。
【００３２】
図６中のステップＳ１〜Ｓ６は図５中のステップＳ１〜Ｓ６と共通である。すなわち、コピースタートキーの押下による入力があったら原稿位置検出部８に原稿セット位置の検出を行わせ、検出された原稿セット位置が（Ａ）、（Ｂ）、（Ｃ）、（Ｄ）の何れであるか判断する。そして（Ａ）であったら原稿位置／コピーモードテーブル４ａから（Ａ）に対応付けられたコピーモードとしてカラー／標準モードの情報を検索し、コピーモードをカラー／標準モードに設定する（ステップＳ９’）。また、同様にして、（Ｂ）であったらカラー／はやいモードに設定する（ステップＳ１０’）。（Ｃ）であったらカラー／きれいモードに設定する（ステップＳ１１’）。（Ｄ）であったらカラー／すごくきれいモードに設定する（ステップＳ１２’）。
【００３３】
また（Ａ）〜（Ｄ）の何れでもなかった場合は、テーブル４ａから（Ａ）〜（Ｄ）以外の原稿セット位置に対応付けられた情報を検索する。すなわち入力機器１により入力された操作部３上の設定情報にしたがってコピーモードを設定する旨の情報を検索する。そして、そのときに入力機器１により入力されている操作部３上の印刷品位に関わる設定情報にしたがってコピーモード（印刷品位）を設定する（ステップＳ７’）。
【００３４】
このようにして印刷品位に関わるコピーモードを設定した後、設定されたコピーモードでコピー動作を行い（ステップＳ８）、コピー動作が終了したら処理を終了する。
【００３５】
以上のような本実施例によれば、ユーザーがコピーのために原稿台２１上にセットする原稿２２のセット位置を選択するだけで、カラー／モノクロ及び等倍／Ａ４の組み合わせ、ないしは印刷品位に関わるコピーモードを所望に選択して設定することができる。したがって、従来のようにユーザーが表示器の複写モード設定画面を見ながらキー操作するなどして設定するのに比べて、コピーモードの設定を非常に簡単に行うことができ、複写装置の操作性を向上させることができる。
【実施例２】
【００３６】
図７は実施例２の複写装置における原稿台２１上の原稿２３のセット位置を説明するものである。長方形の原稿２３は、例えば写真や名刺などの小さなもので、縦の寸法が原稿台２１の１／４となっている。本実施例では原稿２３を（７Ａ）、（７Ｂ）、（７Ｃ）、及び（７Ｄ）の原稿セット位置の何れかにセットすることにより、コピーモードとして異なるコピー部数が設定される。そして（７Ａ）〜（７Ｄ）以外の原稿セット位置、例えば（７Ｅ）の位置にセットすることにより、コピー部数が入力機器１により入力された操作部３上の設定情報によるコピー部数に設定されるものとする。
【００３７】
ここで原稿セット位置（７Ａ）は、原稿２３が原稿台２１を縦方向に４等分した４つの領域２１ａ〜２１ｄの内で上から１番目の領域２１ａにあって、原稿２３の左端縁が原稿台２１の左端縁に接する位置である。また、セット位置（７Ｂ）、（７Ｃ）、（７Ｄ）は、それぞれ原稿２３が領域２１ｂ、２１ｃ、２１ｄのそれぞれにあって、原稿２３の左端縁が原稿台２１の左端縁に接する位置である。また、（７Ａ）〜（７Ｄ）以外の原稿セット位置とは、原稿２３が原稿台２１の左端縁から離れている位置であり、例えば（７Ｅ）として示す原稿台２１の中央の位置である。
【００３８】
本実施例では、原稿位置検出部８は、原稿セット位置が（７Ａ）〜（７Ｄ）の何れであるか、或いは（７Ａ）〜（７Ｄ）以外の位置か検出できるように構成されるものとする。
【００３９】
次に、図８は、本実施例における原稿位置／コピーモードテーブル４ａの内容を示している。ここでは、原稿セット位置（７Ａ）、（７Ｂ）、（７Ｃ）、（７Ｄ）のそれぞれの情報に対して、コピーモードとしてのコピー部数が順に１部、２部、５部、１０部というように一対一に対応付けて記憶されている。また（７Ａ）〜（７Ｄ）以外の位置に対しては、入力機器１により入力された操作部３上の設定情報にしたがってコピー部数を設定する旨の情報が対応付けて記憶されている。
【００４０】
次に、図９は本実施例における制御部１０のコピーモード（コピー部数）設定に関わる制御手順を示している。
【００４１】
この制御手順では、まずコピースタートキーの押下による入力を待ち（ステップＳ２１）、その入力があったら原稿位置検出部８に原稿セット位置の検出を行わせる（ステップＳ２２）。検出が終了したら、検出された原稿セット位置が（７Ａ）、（７Ｂ）、（７Ｃ）、（７Ｄ）の何れであるか判断する（ステップＳ２３、Ｓ２４、Ｓ２５、Ｓ２６）。そして（７Ａ）であったら原稿位置／コピーモードテーブル４ａから（７Ａ）に対応付けられたコピー部数として１部の情報を検索し、コピーモードを１部コピーモードに設定する（ステップＳ２９）。また、同様にして、（７Ｂ）であったら２部コピーモードに設定する（ステップＳ３０）。（７Ｃ）であったら５部コピーモードに設定する（ステップＳ３１）。（７Ｄ）であったら１０部コピーモードに設定する（ステップＳ３２）。
【００４２】
また（７Ａ）〜（７Ｄ）の何れでもなかった場合は、テーブル４ａから（７Ａ）〜（７Ｄ）以外の原稿セット位置に対応付けられた情報を検索する。すなわち入力機器１により入力された操作部３上の設定情報にしたがってコピー部数を設定する旨の情報を検索する。そして、そのときに入力機器１により入力されている操作部３上のコピー部数の設定情報にしたがってコピー部数を設定する（ステップＳ２７）。
【００４３】
このようにしてコピー部数のコピーモードを設定した後、設定されたコピー部数のコピーモードでコピー動作を行い（ステップＳ２８）、コピー動作が終了したら処理を終了する。
【００４４】
このような本実施例によれば、ユーザーがコピーのために原稿２３を原稿台２１上にセットするときに原稿セット位置を選択するだけで、コピー部数のコピーモードを複数の内から所望に選択して設定することができる。
【００４５】
なお、上述した実施例１及び２で示した原稿位置／コピーモードテーブル４ａにおけるコピーモードの情報を変更することにより、実施例１及び２で設定したコピーモード以外のコピーモードの設定を行えることは勿論である。
【００４６】
また、実施例１及び２では、制御部１０は、条件として、検出された原稿セット位置が予め定められた複数の原稿セット位置（例えば（Ａ）〜（Ｄ））の何れかであれば、検出された原稿セット位置に応じてコピーモードを設定するように制御していた。また、検出された原稿セット位置が前記複数の原稿セット位置以外の位置（例えば（Ｅ））であれば、入力機器１で入力された操作部３上の設定情報にしたがってコピーモードを設定するように制御していた。しかし、上記以外の予め定められた条件に応じて、原稿セット位置に応じた設定、或いは入力機器１の入力による設定を選択するようにしてもよい。例えば、原稿セット位置に応じた設定、或いは入力機器１の入力による設定を指示する入力を行うためのキーを入力機器１の中に設け、そのキー入力に応じて、原稿セット位置に応じた設定、或いは入力機器１の入力による設定を選択するようにしてもよい。
【００４７】
また、実施例１及び２では、原稿セット位置の検出工程で検出する原稿セット位置は４つと、それ以外の位置としていたが、前記４つをそれ以外の複数としても良く、また、それぞれの位置自体も図示した位置に限らないことは勿論である。そして、原稿セット位置の検出工程後の制御工程で原稿セット位置に応じて設定するコピーモードの種類数も４種類以外の複数種類としても良いことも勿論である。
【図面の簡単な説明】
【００４８】
【図１】本発明の実施例１及び２における複写装置の構成を示すブロック図である。
【図２】実施例１における原稿台上の原稿のセット位置を説明する説明図である。
【図３】実施例１における原稿位置／コピーモードテーブル４ａの内容の一例を示す表図である。
【図４】実施例１でテーブル４ａの内容が図３のものである場合の制御部によるコピーモード設定に関わる制御手順を示すフローチャート図である。
【図５】実施例１でテーブル４ａの内容の他の例を示す表図である。
【図６】実施例１でテーブル４ａの内容が図５のものである場合の制御部によるコピーモード設定に関わる制御手順を示すフローチャート図である。
【図７】実施例２における原稿台上の原稿のセット位置を説明する説明図である。
【図８】実施例２における原稿位置／コピーモードテーブル４ａの内容を示す表図である。
【図９】実施例２における制御部によるコピーモード設定に関わる制御手順を示すフローチャート図である。
【符号の説明】
【００４９】
１  入力機器
２  表示器
３  操作部
４  メモリ
４ａ  原稿位置／コピーモードテーブル
５  印刷部
６  印刷データ形成部
７  画像読み取り部
８  原稿位置検出部
９  読み取り処理部
１０  制御部
２１  原稿台
２２，２３  原稿
【図１】
2008151882.tif 000003
【図２】
2008151882.tif 000004
【図３】
2008151882.tif 000005
【図４】
2008151882.tif 000006
【図５】
2008151882.tif 000007
【図６】
2008151882.tif 000008
【図７】
2008151882.tif 000009
【図８】
2008151882.tif 000010
【図９】
2008151882.tif 000011